(57)【要約】【課題】使い勝手を良好にし、しかも、落下防止を抑制する。【解決手段】ウェアラブルカメラ１００は、撮像部を収容して前面にレンズを表出し鉛直面に沿う方向の背面１９が装着側の面となる筐体１３と、背面１９に形成され筐体保持部材（例えばマグネット２９）がねじ固定によらずに着脱自在となる取付面２７と、取付面２７の上端に近接して筐体１３から突出し取付面２７に取り付けられたマグネット２９に当接してマグネット２９に対する筐体１３の下方向の移動を規制する突起４１と、を備える。【選択図】図３
2018098571.tif 000002
【特許請求の範囲】
【請求項１】
前面にレンズを表出し、鉛直面に沿う方向の背面が装着側の面となる筐体と、
前記背面に形成され、筐体保持部材が着脱自在となる取付面と、
前記取付面の上端付近に前記筐体から突出して設けられ、前記取付面に取り付けられた前記筐体保持部材に当接して前記筐体保持部材に対する前記筐体の下方向の移動を規制する突起と、を備える、
ウェアラブルカメラ。
【請求項２】
前記筐体保持部材が、前記取付面の裏側となる筐体内部の金属プレートに、前記取付面を挟んで吸着するマグネットである、
請求項１記載のウェアラブルカメラ。
【請求項３】
前記筐体保持部材が、前記取付面に取り付けられるプレートを有し、前記プレートに挟持部が設けられるクリップである、
請求項１記載のウェアラブルカメラ。
【請求項４】
前記筐体が、前記取付面を左右から挟み前記背面から突出して上下方向に延在する一対の対向壁部を備える、
請求項１〜３のうちいずれか一項に記載のウェアラブルカメラ。
【請求項５】
前記プレートには、係止孔を有し、かつ上縁から上方に向かって延出して前記筐体に対し離反方向に弾性変形可能となるロック片が設けられ、
前記筐体には、前記係止孔に係止して前記筐体保持部材に対する前記筐体の上方向の移動を規制するロック突起が形成される、
請求項３に記載のウェアラブルカメラ。
【請求項６】
前記筐体には、凹部とこの凹部の対向内壁面に両端が固定され、ストラップの基端に形成した環状の紐を接続する軸部が設けられる、
請求項１〜５のうちいずれか一項に記載のウェアラブルカメラ。
【発明の詳細な説明】
【技術分野】
【０００１】
本発明は、ユーザの衣服に装着又は保持され、静止画や動画を撮像するウェアラブルカメラに関する。
【背景技術】
【０００２】
例えば警察官や警備員の業務を支援するために使用されるウェアラブルカメラは、警察官の胸部等、ユーザの視点に近い位置からの視野を映像として撮像するように、ユーザが着用した衣服等に装着される（例えば特許文献１参照）。
【０００３】
また、ウェアラブルカメラは、内蔵される電子部品等の各部に電源を供給するバッテリを筐体内部に収容する。このバッテリは、例えば充電可能な２次電池により構成される。ウェアラブルカメラは、筐体を充電器にセットすることにより、筐体のコンタクトターミナルを充電器の充電接点に接続して充電を行う。
【先行技術文献】
【特許文献】
【０００４】
【特許文献１】特開２０１６−１２２９１８号公報
【発明の概要】
【発明が解決しようとする課題】
【０００５】
しかしながら、特許文献１を含む従来のウェアラブルカメラは、装着した場合の落下防止については考慮されていなかった。特にユーザ（例えば警察官や警備員。但し、これらに限定されないことは言うまでもない。以下同様。）が何らかの理由で走る際、ウェアラブルカメラに作用する慣性による重力方向（下方向）の力は、衣服と筐体とに相対変位（つまり、ずれ落ち）を生じさせ易い。その結果、装着時の状態が維持されない場合がある。ウェアラブルカメラは、装着状態が維持されないと、ユーザにとって所望の画像が得られなかったり、落下して壊れたりする虞がある。
【０００６】
或いは、ウェアラブルカメラには、衣服等への保持性を高めるために筐体背面にクリップをねじ固定するものがある。ところが、クリップ付きウェアラブルカメラは、充電器にセットする際、クリップが邪魔となって充電時に支障が出る。この場合、充電の都度、ねじ固定を解除及び再固定してクリップを筐体から脱着しなければならず、ユーザにとって使い勝手が良くないという問題があった。
【０００７】
本発明は、上述した従来の事情に鑑みて案出され、使い勝手を良好にし、しかも、使用時の装着状態から落下防止を抑制することができるウェアラブルカメラを提供することを目的とする。
【課題を解決するための手段】
【０００８】
本発明は、前面にレンズを表出し、鉛直面に沿う方向の背面が装着側の面となる筐体と、前記背面に形成され、筐体保持部材が着脱自在となる取付面と、前記取付面の上端付近に前記筐体から突出して設けられ、前記取付面に取り付けられた前記筐体保持部材に当接して前記筐体保持部材に対する前記筐体の下方向の移動を規制する突起と、を備える、ウェアラブルカメラを提供する。
【発明の効果】
【０００９】
本発明によれば、ウェアラブルカメラの使用時の使い勝手を良好にし、しかも、使用時の装着状態から落下防止を抑制することができる。
【図面の簡単な説明】
【００１０】
【図１】本実施の形態のウェアラブルカメラをユーザ（例えば警察官）が装着した状態の一例を示す模式図
【図２】本実施の形態のウェアラブルカメラをマグネットタイプとして用いた場合の背面斜視図
【図３】図２の分解斜視図
【図４】図２の背面図
【図５】マグネットを衣服のポケットに入れて装着したウェアラブルカメラの縦断面図
【図６】本実施の形態のウェアラブルカメラをクリップタイプとして用いた場合の背面斜視図
【図７】図６の分解斜視図
【図８】プレートの取付方向を示す分解斜視図
【図９】クリップを取り付けたウェアラブルカメラの背面図
【図１０】ストラップ取付用の軸部の拡大斜視図
【図１１】（Ａ）軸部に取り付けられるストラップの一例を表す要部斜視図、（Ｂ）フックの変形例を示す要部斜視図
【図１２】充電器にセットされたウェアラブルカメラの斜視図
【図１３】セット前の充電器とウェアラブルカメラを正面側から見た分解斜視図
【図１４】セット前の充電器とウェアラブルカメラを背面側から見た分解斜視図
【発明を実施するための形態】
【００１１】
以下、適宜図面を参照しながら、本発明に係るウェアラブルカメラを具体的に開示した実施の形態（以下、「本実施の形態」という）を詳細に説明する。但し、必要以上に詳細な説明は省略する場合がある。例えば既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１２】
図１は、本実施の形態のウェアラブルカメラ１００をユーザ（例えば警察官１１）が装着した状態の一例を示す模式図である。
【００１３】
本実施の形態のウェアラブルカメラは、例えばユーザが警察署に勤める警察官がパトロールの時に使用して撮像する場合を想定して説明する。但し、ウェアラブルカメラの使用シーンとして、事件或いは事故が起きた現場に急行した時を想定してもよい。
【００１４】
ウェアラブルカメラ１００は、ユーザの一例としての警察官１１により使用され、パトロール時に前方の状況を静止画（画像）又は動画（映像）として記憶できるように撮像して蓄積し、例えば警察署内のバックエンドシステムに撮像映像のデータを転送する。なお、ウェアラブルカメラ１００は、ユーザが警察官１１に限定されず、その他様々な事業所（例えば、警備会社）において使用されてもよい。
【００１５】
ウェアラブルカメラ１００は、警察官１１の胸部等、警察官１１の視点に近い位置からの視野を映像として撮像するように、警察官１１が着用した衣服（例えば警察官が着用する制服。以下同様。）又は体に装着して使用される。警察官１１は、ウェアラブルカメラ１００を装着した状態で、録画スイッチＳＷ１を操作して周囲の被写体の撮像を行う。
【００１６】
ウェアラブルカメラ１００は、略直方体状の筐体１３の前面１５に、撮像部を構成する撮像レンズ１７、録画スイッチＳＷ１、スナップショットスイッチＳＷ２が設けられる。録画スイッチＳＷ１は、例えば警察官１１によって、奇数回押下されることで録画（動画の撮像）が開始され、偶数回押下されることで録画が終了する。スナップショットスイッチＳＷ２は、例えば警察官１１によって押下される度に、そのときの静止画の撮像が実行される。
【００１７】
［マグネットタイプ仕様の構成例］
図２は、本実施の形態のウェアラブルカメラ１００をマグネットタイプとして用いた場合の背面斜視図である。
【００１８】
本実施の形態に係るウェアラブルカメラ１００は、筐体１３に、撮像部（図示略）を収容する。筐体１３は、前面１５に、撮像部を構成する撮像レンズ１７を表出する。筐体１３は、前面１５と反対側の面が、背面１９となる。背面１９は、鉛直面に沿う方向の面となって、衣服（例えば警察官１１が着用する制服）等への装着側の面となる。筐体１３は、前面筐体２１と、上記の背面１９を有する裏蓋２３とにより構成される。
【００１９】
なお、ウェアラブルカメラ１００の筐体１３の正面から見て右側面には、上側より補機接続部２５、通信モードスイッチＳＷ３、ＬＥＤ＆ＶｉｂｒａｔｉｏｎスイッチＳＷ４、ＯＦＦスイッチＳＷ５等が設けられる。通信モードスイッチＳＷ３は、例えば通信機器（例えば警察署内のバックエンドシステム、パトカー内の車載カメラシステム）との間の通信モードを切り替えるために押下される。ＬＥＤ＆ＶｉｂｒａｔｉｏｎスイッチＳＷ４は、例えばウェアラブルカメラ１００の状態を警察官１１に報知するために、ＬＥＤ（Light Emission Diode）とバイブレーション（振動）のうちいずれかを切り替えるために押下される。ＯＦＦスイッチＳＷ５は、例えばウェアラブルカメラ１００の電源をオフするために押下される。
【００２０】
筐体１３の裏蓋２３には、取付面２７が形成される。取付面２７は、方形状の平坦面となる。この取付面２７には、筐体保持部材が、ねじ固定によらずに着脱自在となる。
【００２１】
本構成例（つまり、マグネットタイプ仕様）において、ウェアラブルカメラ１００における筐体保持部材は、マグネット２９である。マグネット２９は、取付面２７と略同形となった方形の板状に形成される。マグネット２９は、例えば衣服のポケット３１（図５参照）に入れられる。このため、マグネット２９は、安全性を考慮して、例えば着磁されたマグネットゴムとすることが好ましい。
【００２２】
図３は、図２の分解斜視図である。
【００２３】
前面筐体２１は、バッテリ収容部３３を有する。バッテリ収容部３３には、バッテリ３５が収容される。バッテリ３５は、例えば充電可能な２次電池により構成される。ウェアラブルカメラ１００は、後述するように、筐体１３を後述の充電器にセットすることにより、筐体１３のコンタクトターミナルを充電器の充電接点に接続して充電を行う。
【００２４】
バッテリ３５は、取付面２７と略同一外形の平らな直方体形状に形成される。バッテリ３５は、裏蓋２３と対向する面に、略同面積の金属プレート３７が両面粘着テープ３９等によって固定される。金属プレート３７の固定されたバッテリ３５は、バッテリ収容部３３に配置され、裏蓋２３が前面筐体２１にねじ固定されることにより、筐体内部に収容される。
【００２５】
ウェアラブルカメラ１００の裏蓋２３が取り付けられると、金属プレート３７は取付面２７の裏側に近接して配置される。これにより、マグネット２９は、裏蓋２３を介してマグネット２９の磁気吸引力により取付面２７に吸着する。このマグネット２９の磁気吸引力は、ウェアラブルカメラ１００の質量を保持する十分な大きさとなる。
【００２６】
筐体１３の裏蓋２３には、取付面２７の上端付近に近接して突起４１が設けられる。本実施の形態において、突起４１は、取付面２７の左右方向に一対のものが設けられる。突起４１は、筐体１３の裏蓋２３から突出し、取付面２７に取り付けられたマグネット２９に当接する。筐体１３は、マグネット２９の上端面に当接することにより、マグネット２９に対する下方向の移動が規制される。
【００２７】
図４は、図２の背面図である。
【００２８】
筐体１３の裏蓋２３には、取付面２７を左右から挟める長さを有し、背面１９から突出する一対の対向壁部４３が設けられる。それぞれの対向壁部４３は、平行となって上下方向に延在する。一対の対向壁部４３の間隔は、マグネット２９の同方向の幅よりも若干大きく設定される。これにより、マグネット２９は、ポケット３１の生地を挟んで一対の対向壁部４３の間に進入可能となっている。つまり、生地を挟んで取付面２７に密着したマグネット２９は、上端面と、左右側面との三方向が、突起４１と、一対の対向壁部４３とによって包囲される。
【００２９】
次に、上記した構成の作用を説明する。
【００３０】
本実施の形態に係るウェアラブルカメラ１００では、警察官１１の衣服等に設けられた筐体保持部材に対し、筐体１３が背面１９の取付面２７を介して取り付けられる。ウェアラブルカメラ１００は、例えば警察官１１がパトロール時、又は事件或いは事故の現場で走った際、慣性による重力方向（下方向）の力が大きく作用し、下方向に移動しやすくなる。筐体１３は、筐体保持部材に対して下方向に移動しようとすると、取付面２７の上端に形成された突起４１が、筐体保持部材に当接する。
【００３１】
これにより、筐体１３は、取付面２７と平行な下方向への移動が規制され、装着時の状態が維持される。その結果、ウェアラブルカメラ１００は、画質の劣化を抑制できるとともに、警察官１１の使用時の装着状態からの落下防止を抑制できる。
【００３２】
また、ウェアラブルカメラ１００は、突起４１が取付面２７の上端に配置されることにより、筐体１３の下部を充電器に対し、上方向から挿入する良好な充電操作性を実現している。
【００３３】
このことは、例えば適切な画像が撮れず、撮像画像が後々の用途（例えば検察や裁判所に提出するべき、パトロール中の証拠映像又は現場での証拠映像）に使えないという事態を回避できる。
【００３４】
また、ウェアラブルカメラ１００は、筐体保持部材がねじ固定によらずに筐体１３の取付面２７に対して着脱自在となる。従って、ねじ固定の解除及び再固定を行わずに筐体保持部材の脱着が可能となる。これにより、使用終了時、簡単に充電器と干渉しない状態にでき、容易に充電が行える。
【００３５】
図５は、マグネット２９を衣服のポケット３１に入れて装着したウェアラブルカメラ１００の縦断面図である。
【００３６】
このウェアラブルカメラ１００では、マグネット２９が衣服の例えばポケット３１に入れられ、ポケット３１の外側に筐体１３の取付面２７が当てられる。マグネット２９と金属プレート３７との間には、磁気吸引力が働く。この磁気吸引力によりマグネット２９と取付面２７との間に、ポケット３１の生地が挟まれ、筐体１３が衣服に対して強固に固定可能となる。取り外しの際は、磁気吸引力に抗して警察官１１が筐体１３を磁気吸引力以上の外力を加えて引き剥がせば、ウェアラブルカメラ１００の簡単な取り外しが可能となる。その際、マグネット２９は、ポケット内に落下して保持される。取り外されたウェアラブルカメラ１００は、取付面２７に筐体保持部材が残らず、そのまま充電器へのセットが可能となる。
【００３７】
また、このウェアラブルカメラ１００では、筐体保持部材（例えばマグネット２９）が、取付面２７の左右に突設された一対の対向壁部４３によっても挟まれる。これにより、筐体１３とマグネット２９とは、突起４１、一対の対向壁部４３の三箇所で当接し、取付面２７に垂直な軸回りの相対回転を規制することが可能となる。
【００３８】
［クリップタイプ仕様の構成例］
図６は、本実施の形態のウェアラブルカメラ１００をクリップタイプとして用いた場合の背面斜視図である。
【００３９】
本実施の形態のウェアラブルカメラ１００は、マグネットタイプに限定されず、例えばクリップタイプとしても使用することができる。ウェアラブルカメラ１００は、マグネットタイプと同一のものが使用できる。すなわち、ウェアラブルカメラ１００は、マグネット２９の替わりに、筐体保持部材であるクリップが使用できる兼用構造を有する。
【００４０】
ウェアラブルカメラ１００は、取付面２７に、クリップを固定するプレート４５が、着脱自在となる。プレート４５は、一対の対向壁部４３の間隔よりも、同方向の大きさが若干大きく形成される。このプレート４５は、例えば金属又は樹脂により形成される。
【００４１】
図７は、図６の分解斜視図である。
【００４２】
一対の対向壁部４３の対向面には、上下方向に延在する溝４７がそれぞれに形成される。溝４７の溝幅は、プレート４５の板厚と略同一に設定され、プレート４５の両側縁４９が挿入可能となっている。溝４７は、一対の対向壁部４３の下端で開放されている。
【００４３】
図８は、プレート４５の取付方向を示す分解斜視図である。
【００４４】
プレート４５は、左右の対向壁部４３の溝４７に向かって、下端の開放部５１から両側縁４９を挿入することにより、取付面２７に沿ってスライドが自在可能となる。両側縁４９が対向壁部４３の溝４７にガイドされながら挿入されたプレート４５は、上端の突起４１に当接することで、取付面２７の定位置に取り付けられる。
【００４５】
プレート４５には、上縁５３から上方に向かって延出するロック片５５が設けられる。ロック片５５は、係止孔５７を有し、筐体１３から離反する方向に弾性変形が可能となる。ロック片５５の延出先端には、延出先端に向かって筐体１３から離反する方向に傾斜する指掛け部５９が形成される。
【００４６】
一方、裏蓋２３には、一対の突起４１の間に、ロック突起６１が設けられている。ロック突起６１は、ロック片５５の係止孔５７に係止して、クリップのプレート４５に対する筐体１３の上方向の移動を規制する。
【００４７】
図９は、クリップ６３を取り付けたウェアラブルカメラの背面図である。
【００４８】
クリップ６３は、プレート４５に固定される挟持部６５を備える。挟持部６５は、例えば衣服の前身頃の左右合せ目における縁部の内側に挿入される内側挟持板６７と、縁部の外側に配置される外側挟持板６９と、を有する。クリップ６３は、これら内側挟持板６７と外側挟持板６９とがコイルバネ７１により接近方向に付勢される。クリップ６３は、摘み部７３を警察官１１の手指により挟み、内側挟持板６７と外側挟持板６９とをコイルバネ７１の付勢力に抗して開いた後、内側挟持板６７と外側挟持板６９とにより前身頃の左右合せ目における縁部を表裏から挟持できる。
【００４９】
挟持部６５は、プレート４５に対して左右方向のいずれの側にも挟持部６５が向くようにして取り付けが可能となっている。クリップ６３は、プレート４５の右側の３つの固定部７２（図７参照）、又は左側の３つの固定部７２（図７参照）を選択的に使用し、挟持部６５の外側挟持板６９を図９に示す固定ねじ７４によりプレート４５に固定することで、左右勝手が選択可能となっている。
【００５０】
次に、上記した構成の作用を説明する。
【００５１】
ウェアラブルカメラ１００では、筐体１３の取付面２７に、クリップ６３のプレート４５が取り付けられる。筐体１３は、クリップ６３に対して下方向に移動しようとすると、取付面２７の上端に形成された突起４１が、クリップ６３のプレート４５に当接する。これにより、筐体１３は、取付面２７と平行な下方向への移動が規制され、装着時の状態が維持される。
【００５２】
クリップ６３は、プレート４５に固定された挟持部６５が、例えば衣服の前身頃の左右合せ目のいずれか一方の縁部を挟持して取り付けられる。これにより、ウェアラブルカメラは、筐体１３がクリップ６３を介して衣服に固定される。取り外しの際は、警察官１１が挟持部６５による挟持を解除してウェアラブルカメラ１００を例えばクリップ６３ごと衣服等から外す。
【００５３】
その後、取付面２７に対してプレート４５の係合が解除され、クリップ６３は筐体１３から取り外される。クリップ６３の取り外されたウェアラブルカメラ１００は、取付面２７に筐体保持部材が残らず、そのまま充電器へのセットが可能となる。
【００５４】
なお、ウェアラブルカメラ１００は、衣服等を挟持したクリップ６３との係合を解除することにより、クリップ６３を衣服等に付けたまま筐体１３のみを衣服等から取り外すことも可能となる。この場合、ウェアラブルカメラ１００は、そのまま充電器へのセットが可能となる。
【００５５】
また、ウェアラブルカメラ１００では、筐体１３の取付面２７に対し、プレート４５が下側から取付面２７に平行にスライドされて取付が行われる。プレート４５がスライドされ、上縁５３のロック片５５がロック突起６１に到達すると、ロック片５５がロック突起６１からの反力により、筐体１３から離反方向に弾性変形する。更に、プレート４５がスライドされると、ロック片５５の係止孔５７にロック突起６１が一致し、ロック片５５の弾性力により、ロック片５５の係止孔５７がロック突起６１に係止する。これにより、筐体１３は、プレート４５に対する上方向の移動もロック突起６１に係止したロック片５５により規制される。
【００５６】
筐体１３は、ロック片５５の指掛け部５９が警察官１１の手指により筐体１３から離反する方向に解除操作されることにより、係止孔５７とロック突起６１との係止が解除される。ロック片５５による係止の解除された筐体１３は、プレート４５に対して上方向のスライドが可能となって、クリップ６３からの取り外しが可能となる。
【００５７】
［ストラップの構成例］
図１０は、ストラップ取付用の軸部７５の拡大斜視図である。
【００５８】
ウェアラブルカメラは、筐体１３に、凹部７７と、軸部７５と、を備える。軸部７５は、凹部７７の対向内壁面に両端が固定される。この軸部７５には、ストラップの基端に形成した環状の紐を接続することができる。
【００５９】
なお、ウェアラブルカメラ１００の筐体１３の正面から見て左側面には、軸部７５の下方に、属性付与スイッチＳＷ６〜ＳＷ８等が設けられる。属性付与スイッチＳＷ６〜ＳＷ８は、現在録画中の映像データ又は直前に録画した映像データに対して、現在の設定状態に応じた属性情報（例えば、映像データの種別を示す情報）を付与する。映像データの種別は、例えば殺人事件、強盗事件、火災等の事件又は事故の種類を示す。
【００６０】
図１１（Ａ）は、軸部７５に取り付けられるストラップ７９の一例を表す要部斜視図である。図１１（Ｂ）は、フック８３の変形例を示す要部斜視図である。
【００６１】
ストラップ７９は、紐（例えば巻着紐８１）の両端と、衣服等に固定するためのフック８３を備えた保持紐８５の両端とを束ねて止具８７により固定した構成とすることができる。ストラップ７９は、一端側の巻着紐８１を軸部７５と凹部７７との間に挿通し、その巻着紐８１の環状部に、他端側の保持紐８５を挿通することにより、巻着紐８１を軸部７５に巻着して取り付けできる。巻着紐８１を軸部７５に巻着したストラップ７９は、保持紐８５のフック８３を衣服等に掛止することで、ウェアラブルカメラ１００を衣服等に保持できる。これにより、ストラップ７９は、マグネットタイプ仕様やクリップ仕様のウェアラブルカメラ１００の落下防止を補助的に支援できる。
【００６２】
なお、ストラップ７９に取り付けられるフック８３は、操作片８９を開くと、挟持板９１が開き、操作片８９を閉じると、挟持板９１が生地を挟持してロックされる挟持具９３であってもよい。
【００６３】
このウェアラブルカメラ１００では、筐体１３が、ストラップ７９を介してユーザの衣服等に繋がれる。筐体１３は、筐体保持部材と、ストラップ７９とにより落下が二重に防止される。これにより、仮に筐体保持部材が衣服等から外れても、筐体１３が筐体保持部材から外れても、ウェアラブルカメラ１００の落下をストラップ７９により確実に防止することができる。
【００６４】
［充電器の構成例］
図１２は、充電器９５にセットされたウェアラブルカメラ１００の斜視図である。
【００６５】
ウェアラブルカメラ１００は、下部を充電器９５に差し込むことにより、充電器９５に対して起立状態で保持（セット）される。このセット状態で、ウェアラブルカメラ１００は、筐体１３の下面に設けたコンタクトターミナルを、充電器９５の充電接点９７（図１３参照）に接続して充電を行う。
【００６６】
なお、この構成例において、ウェアラブルカメラ１００は、筐体１３の正面から見て右側面の補機接続部２５に、ウェアラブルカメラ１００を第１カメラとした場合の第２カメラ（セカンドカメラ）等の補機に接続されるケーブル９９のコネクタ１０１が接続されている。
【００６７】
図１３は、セット前の充電器９５とウェアラブルカメラ１００を正面側から見た分解斜視図である。
【００６８】
充電器９５には、ウェアラブルカメラ１００の下部を挿入する保持凹部１０３が形成される。保持凹部１０３の底面１０５には、筐体１３のコンタクトターミナルに接続する充電接点９７が設けられる。保持凹部１０３は、底面１０５を挟む左右の内面に、それぞれ係止爪１０７を備える。係止爪１０７は、筐体１３の両側面の下部に形成された係止凹部１０９に係止する。これにより、充電器９５は、保持凹部１０３に挿入されたウェアラブルカメラ１００の衝撃や振動等による離脱が防止されるようになっている。係止爪１０７は、充電器９５に設けられた係止解除ボタン（不図示）の操作により、係止凹部１０９に対する係止を解除可能としている。
【００６９】
保持凹部１０３の奥壁面１１１には、方形板状のベース部１１３が奥壁面１１１から突出して形成される。ベース部１１３の左右方向の寸法は、筐体１３の一対の対向壁部４３の間隔と略同一又は同一となる。ベース部１１３の上下に延在する左右の辺部からは、外側に突出する係合片部１１５が形成される。この左右の係合片部１１５は、一対の対向壁部４３に形成された上記の溝４７に進入可能となっている。つまり、ウェアラブルカメラ１００は、充電器９５の保持凹部１０３に挿入されると、取付面２７がベース部１１３に密着して、対向壁部４３の溝４７に係合片部１１５が係止するとともに、係止凹部１０９に係止爪１０７が係止する。
【００７０】
これにより、ウェアラブルカメラ１００は、筐体保持部材の移動を規制する対向壁部４３を共用し、コンタクトターミナルと充電接点９７との位置ずれを防止し、強固なカメラ固定を実現している。
【００７１】
図１４は、セット前の充電器９５とウェアラブルカメラ１００を背面側から見た分解斜視図である。
【００７２】
充電器９５は、背部に車両取付部材１１７が固定される。充電器９５は、この車両取付部材１１７により車両（例えば警察官１１が乗車するパトロールカー（所謂、パトカー））に固定される。車両に固定された充電器９５に、保持されたウェアラブルカメラ１００は、上記の複数の係合構造により強固に充電器９５に保持でき、車両走行時の振動等によっても脱落しにくくなっている。
【００７３】
従って、本実施の形態に係るウェアラブルカメラ１００によれば、使い勝手を良好にし、しかも、落下を防止することができる。
【００７４】
以上、図面を参照しながら各種の実施の形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００７５】
例えば、上記の構成例では、マグネットがポケットに入れられる場合を例に説明したが、本実施の形態のウェアラブルカメラは、マグネットが、クリップ等の手段により衣服に取り付けられ、このマグネットに対して筐体が取り付けられるものであってもよい。
【産業上の利用可能性】
【００７６】
本発明は、使い勝手を良好にし、しかも、使用時の装着状態から落下防止を抑制することができるウェアラブルカメラとして有用である。
【符号の説明】
【００７７】
１３  筐体
１５  前面
１７  撮像レンズ（レンズ）
１９  背面
２７  取付面
２９  マグネット（筐体保持部材）
３７  金属プレート
４１  突起
４３  対向壁部
４５  プレート
５３  上縁
５５  ロック片
５７  係止孔
６１  ロック突起
６３  クリップ（筐体保持部材）
６５  挟持部
７５  軸部
７７  凹部
７９  ストラップ
８１  巻着紐（紐）
１００  ウェアラブルカメラ 
【図１】
2018098571.tif 000003
【図２】
2018098571.tif 000004
【図３】
2018098571.tif 000005
【図４】
2018098571.tif 000006
【図５】
2018098571.tif 000007
【図６】
2018098571.tif 000008
【図７】
2018098571.tif 000009
【図８】
2018098571.tif 000010
【図９】
2018098571.tif 000011
【図１０】
2018098571.tif 000012
【図１１】
2018098571.tif 000013
【図１２】
2018098571.tif 000014
【図１３】
2018098571.tif 000015
【図１４】
2018098571.tif 000016